(57)【要約】【課題】シールド室内のＭＲ検出器とシールド室の外部との間で高い忠実度で信号を伝送するシステム及び方法を提供する。【解決手段】ＭＲシステムは、複数の電磁気信号を検知するように構成された少なくとも１つのＭＲ検出器と、このＭＲ検出器に結合されていると共に、電磁気信号により光信号を変調し対応する変調済み光信号を作成するように構成された変調器と、を備える。本ＭＲシステムはさらに、ＭＲ検出器のインピーダンスを変調器のインピーダンスと整合させ電圧利得とノイズ性能の少なくとも一方を達成するように構成された共鳴整合回路を備える。この変調器には光学コンジットを結合させ、変調済み光信号をシールドされた環境の内部から該シールド環境の外部まで伝送するように構成させている。この光学コンジットには信号検出器を結合させ、変調済み光信号を電気信号に変換するように構成させている。【選択図】      図１
2006095298.tif 000002
【特許請求の範囲】
【請求項１】
磁気共鳴システムを用いて対象（３０）に関する情報を作成する方法であって、
検知素子を用いて複数の電磁気信号を検知する工程と、
前記検知素子のインピーダンスを変調器（３４）のインピーダンスと整合させ電圧利得とノイズ性能の少なくとも一方を達成する工程と、
前記変調器を用いて前記電磁気信号により光信号を変調し対応する変調済み光信号を発生させる工程と、
光学コンジット（３６）を用いてシールドされた環境（３８）の内部から該シールド環境の外部まで前記変調済み光信号を伝送する工程と、
前記変調済み光信号をディジタル電気信号に変換する工程と、
前記信号を線形化する工程と、
前記ディジタル電気信号を処理して対象に関する情報を作成する工程と、
を含む方法。
【請求項２】
前記シールド環境の外部から該シールド環境の内部にある複数の電子回路（４２）まで伝送素子（４４）を用いてパワーを伝送する工程であって、該伝送素子は光ファイバ、同軸ケーブル、及び抵抗性の高いワイヤからなる群から選択されている伝送工程をさらに含む請求項１に記載の方法。
【請求項３】
対象（３０）の画像を作成するための磁気共鳴（ＭＲ）システムであって、
複数の電磁気信号を検知するように構成された少なくとも１つのＭＲ検出器（２６）と、
前記ＭＲ検出器と結合されていると共に、前記電磁気信号により光信号を変調し対応する変調済み光信号を作成するように構成された変調器（３４）と、
前記ＭＲ検出器と前記変調器の間に結合されていると共に、ＭＲ検出器のインピーダンスを変調器のインピーダンスと整合させ電圧利得とノイズ性能の少なくとも一方を達成するように構成された共鳴整合回路（４６）と、
前記変調器と結合されていると共に、前記変調済み光信号をシールドされた環境（３８）の内部から該シールド環境の外部まで伝送するように構成された光学コンジット（３６）と、
前記光学コンジットと結合されていると共に、前記変調済み光信号を電気信号に変換するように構成された信号検出器（５４）と、
前記変調済み信号を線形化しかつこの電気信号を処理して対象の画像を作成するように構成されたプロセッサ（１２）と、
を備えるＭＲシステム。
【請求項４】
光学的パワーまたは電気的パワーからなるパワーを前記シールド環境の外部から該シールド環境の内部に配置させた複数の電子デバイスまで伝送するための伝送素子（４４）をさらに備える請求項３に記載のＭＲシステム。
【請求項５】
前記シールド環境の外部からの光学的パワー信号を電気的パワーに変換するように構成された光起電力デバイス（７４）をさらに備える請求項４に記載のＭＲシステム。
【請求項６】
磁気共鳴システムを用いて対象の画像を表す信号を取得する方法であって、
光学的パワーまたは電気的パワーからなるパワーをシールドされた環境の外部から伝送素子を用いて伝送する工程であって、該伝送素子は光ファイバ、同軸ケーブル、及び抵抗性の高いワイヤからなる群から選択されている伝送工程と、
前記電気的パワーを前記シールド環境の内部に配置させた複数の電子デバイスに提供する工程と、
ＭＲ検出器及び前記複数の電子回路のうちの少なくとも１つを用いて電磁気信号を検知する工程と、
前記電磁気信号を表す光学ＭＲ信号を作成する工程と、
光学コンジットを用いて前記光学ＭＲ信号を前記シールド環境の内部から該シールド環境の外部まで伝送する工程と、
を含む方法。
【請求項７】
前記変換された電気をシールド環境の内部に蓄積する工程をさらに含む請求項６に記載の方法。
【請求項８】
対象の画像を表す信号を取得するための磁気共鳴イメージング（ＭＲ）システムであって、
シールドされた環境の内部に配置されておりかつ複数の電磁気信号を検知するように構成された少なくとも１つのＭＲ検出器と、
前記ＭＲ検出器に結合されている複数の電子デバイスと、
前記電磁気信号を表している光学ＭＲ信号を前記シールド環境の内部から該シールド環境の外部まで伝送するように構成された少なくとも１つの光学コンジットであって、該少なくとも１つの光学コンジットはさらにシールド環境の外部からシールド環境の内部まで光学的パワーを伝送するように構成されており、該少なくとも１つの光学コンジットは光学ＭＲ信号を伝送するための第１の光学コンジットと光学的パワーを伝送するための第２の光学コンジットを備えている少なくとも１つの光学コンジットと、
前記電子デバイスのうちの少なくとも１つが使用するために前記光学的パワー信号を電気的パワーに変換するための光学対電気パワー変換デバイスと、
を備えるＭＲシステム。
【請求項９】
対象の画像を作成するための磁気共鳴（ＭＲ）システムであって、
複数の電磁気信号を検知するように構成された少なくとも１つのＭＲ検出器と、
前記ＭＲ検出器と結合されていると共に、前記電磁気信号により光信号を変調し対応する変調済み光信号を作成するように構成された変調器と、
前記変調器と結合されていると共に、前記変調済み光信号をシールドされた環境の内部から該シールド環境の外部まで伝送するように構成された第１の光学コンジットと、
前記光学コンジットと結合されていると共に、前記変調済み光信号を電気信号に変換するように構成された信号検出器と、
前記変調済み信号を線形化しかつこの電気信号を処理して対象の画像を作成するように構成されたプロセッサと、
を備えるＭＲシステム。
【請求項１０】
前記シールド環境の外部からシールド環境の内部に配置させた複数の電子デバイスまで光学的パワーを伝送するための第２の光学コンジットと、
前記光学的パワーを電気的パワーに変換するように構成された光起電力デバイスと、
をさらに備える請求項９に記載のＭＲシステム。
【発明の詳細な説明】
【技術分野】
【０００１】
本発明は全般的にはイメージング・システム及びスペクトロスコピー・システムに関し、またより具体的には磁気共鳴システム及び方法に関する。
【背景技術】
【０００２】
磁気共鳴イメージング（ＭＲＩ）システムなどの高磁場システムは、シールド室などのシールドされた環境の内部に配置されるのが典型的である。ＭＲＩシステムには検知素子として幾つかのＭＲ検出器が使用されており、これらの検出器は電磁気信号を検知して伝送するために使用される。この電磁気信号を処理して対象の対応する画像を作成するためには、コンピュータ・プロセッサが使用される。
【０００３】
ＭＲＩシステムのコンピュータ・プロセッサはシールド室の外部に配置されるのが典型的である。シールド室の内部にある回路をシールド室の外部にある回路に接続するためには通常、同軸ケーブルが使用される。シールド室の外部からシールド室の内部までケーブルによって伝播される信号を隔絶させることがこの種の用途において重要な課題であり、一般に、無線周波数干渉により画像の収集及び処理を劣化させないようにして隔絶を実行させている。
【０００４】
画質を向上させるために、ＭＲＩシステムは、磁気共鳴（ＭＲ）検出器を幾つか備えることがある。ＭＲ検出器の例には受信コイルが含まれる。コイルの数を増やす際の問題点の１つは、これらのコイルをコンピュータ・プロセッサに接続するのに必要な同軸ケーブルが対応して増加することである。同軸ケーブルの本数が増加すると、ケーブルのコネクタの嵩張り、電磁気的干渉及びクロストークなどの様々な問題が生じる。ＭＲ検出器やＲＦコイルをシステムに接続する導電性同軸ケーブルに関する別の問題点は、導体ケーブルがループを形成することがあり、これによりＭＲＩで使用される高エネルギー送信パルスにおいて局所加熱が誘導され安全について懸念が生じかねないことである。
【特許文献１】米国特許第６７０４５９２号
【発明の開示】
【発明が解決しようとする課題】
【０００５】
したがって、シールド室内のＭＲ検出器とシールド室の外部に配置されたコンピュータ・プロセッサとの間で高い忠実度で信号を伝送することが必要とされている。
【課題を解決するための手段】
【０００６】
簡単に述べると、本発明の一態様では、磁気共鳴システムを用いて対象の情報を作成するための方法を提供する。本方法は、検知素子を用いて複数の電磁気信号を検知する工程と、電圧利得またはノイズ性能を得るために検知素子のインピーダンスを変調器のインピーダンスを整合させる工程と、を含む。本方法はさらに、変調器を用いてこの電磁気信号により光信号を変調し対応する変調済み光信号を発生させる工程と、光学コンジットを用いてシールドされた環境の内部から該シールド環境の外部までこの変調済み光信号を伝送する工程と、を含む。次いで、この変調済み光信号はディジタル電気信号に変換される。
【０００７】
別の実施形態では、対象の画像を作成するための磁気共鳴（ＭＲ）システムを提供する。本ＭＲシステムは、複数の電磁気信号を検知するように構成された少なくとも１つのＭＲ検出器と、ＭＲ検出器のインピーダンスを変調器のインピーダンスと整合させ電圧利得とノイズ性能の少なくとも一方を達成するように構成された共鳴整合回路と、を備える。本ＭＲシステムはさらに、ＭＲ検出器に結合されていると共に、この電磁気信号により光信号を変調し対応する変調済み光信号を作成するように構成された変調器を備える。この変調器には光学コンジットが結合されており、変調済み光信号をシールドされた環境の内部から該シールド環境の外部まで伝送するように構成させている。本ＭＲシステムはさらに、この光学コンジットに結合されていると共に、変調済み光信号を電気信号に変換するように構成された信号検出器を備える。
【０００８】
別の実施形態では、磁気共鳴（ＭＲ）システムを用いて対象の画像を表す信号を取得するための方法を提供する。本方法は、シールドされた環境の外部から伝送素子を用いてパワーを伝送する工程と、このシールド環境の内部に配置させた複数の電子デバイスに電気的パワーを提供する工程と、を含む。本方法はさらに、ＭＲ検出器及び複数の電子回路のうちの少なくとも１つを用いて電磁気信号を検知する工程と、この電磁気信号を表す光学ＭＲ信号を作成する工程と、を含む。本方法はさらに、光学コンジットを用いてこの光学ＭＲ信号をシールド環境の内部からシールド環境の外部まで伝送する工程を含む。
【０００９】
別の実施形態では、対象の画像を作成するための磁気共鳴（ＭＲ）システムを提供する。本ＭＲシステムは、シールドされた環境の内部に配置されておりかつ複数の電磁気信号を検知するように構成された少なくとも１つのＭＲ検出器と、このＭＲ検出器に結合されている複数の電子デバイスと、を備える。本ＭＲシステムはさらに、電磁気信号を表している光学ＭＲ信号をシールド環境の内部からシールド環境の外部まで伝送するように構成された少なくとも１つの光学コンジットを備える。光学コンジットのうちの１つはさらに、シールド環境の外部からシールド環境の内部まで光学的パワーを伝送するように構成されている。本ＭＲシステムはさらに、電子デバイスのうちの少なくとも１つが使用するために光学的パワー信号を電気的パワーに変換するための光学対電気パワー変換デバイスを備える。
【００１０】
別の実施形態では、対象の画像を作成するための磁気共鳴（ＭＲ）システムを提供する。本ＭＲシステムは、複数の電磁気信号を検知するように構成された少なくとも１つのＭＲ検出器を備える。本ＭＲシステムはさらに、ＭＲ検出器に結合されていると共に、この電磁気信号により光信号を変調し対応する変調済み光信号を作成するように構成された変調器を備える。この変調器には第１の光学コンジットが結合されており、変調済み光信号をシールドされた環境の内部から該シールド環境の外部まで伝送するように構成させている。本ＭＲシステムはさらに、この光学コンジットに結合されておりかつ変調済み光信号を電気信号に変換するように構成された信号検出器と、この変調済み信号を線形化しかつこの電気信号を処理して対象の画像を作成するように構成されたプロセッサと、を備える。
【発明を実施するための最良の形態】
【００１１】
本発明に関するこれらの特徴、態様及び利点、並びにその他の特徴、態様及び利点については、同じ参照符号が図面全体を通じて同じ部分を表している添付の図面を参照しながら以下の詳細な説明を読むことによってより理解が深まるであろう。
【００１２】
図１は、本発明の態様に従って使用できる高磁場磁気共鳴イメージング（ＭＲＩ）システムの例示的な一実施形態のブロック図である。材料特性を解析するために使用できる磁気共鳴スペクトロスコピー・システムなどの別の磁気共鳴システムも、本技法の恩恵を受けることができる。ＭＲＩシステムに関する以下の検討はこうした実施形態の１つに関する単なる一例であり、モダリティや解剖構造に関して限定することを意図していない。
【００１３】
本明細書で使用する場合、「高磁場（ｈｉｇｈ  ｆｉｅｌｄ）」という用語は、そのＭＲＩシステムにより発生させる磁場が約１テスラを超えることを意味している。構成要素の各々については以下でさらに詳細に記載することにする。
【００１４】
本明細書で使用する場合、「ように適応させた（ａｄａｐｔｅｄ  ｔｏ）」、「構成させた（ｃｏｎｆｉｇｕｒｅｄ）」その他の表現は、記載の効果を提供するようにそのシステムの各構成要素を協働可能とするためのシステム内のデバイスに言及したものであり、またこれらの用語はさらに、与えられた入力信号に応答して出力を提供するようにプログラムされているアナログ式やディジタル式のコンピュータ、特定用途向けデバイス（例えば、特定用途向け集積回路（ＡＳＩＣ））、増幅器、その他などの電気的または光学的構成要素の動作機能、並びに構成要素を互いに光学的または電気的に結合させるための機械的デバイスに言及したものでもある。
【００１５】
ＭＲシステムの動作は、キーボード、制御パネル及びディスプレイ（図示せず）を含んだオペレータ・コンソール１０から制御されている。コンソール１０は、オペレータ・インタフェース１４を介してオペレータに対して画像の作成及び表示の制御を可能とさせているプロセッサ１２を備えている。このプロセッサはバックプレーンを通じて互いに連絡している多くのモジュールを含んでいる。これらのモジュールには、画像プロセッサ・モジュール、ＣＰＵモジュール、パルス発生器モジュール、並びに当技術分野でフレーム・バッファとして知られている画像データ・アレイを記憶するためのメモリ・モジュールが含まれる。このプロセッサ１２は、典型的には、画像データ及びプログラムを記憶するためにディスク記憶装置及びテープ駆動装置（図示せず）とリンクしており、さらに高速シリアルリンクを介して独立のシステム制御部（図示せず）と連絡している。
【００１６】
パルス発生器モジュールはシリアルリンクを介してオペレータ・コンソールにつながっている。システム制御部は、実行すべきスキャンシーケンスを指示するコマンドをオペレータから受け取っている。このパルス発生器モジュールは、所望のスキャンシーケンスを実行するように各システム構成要素を操作している。これによって、発生させる無線周波数（ＲＦ）パルスのタイミング、強度及び形状、並びにデータ収集ウィンドウのタイミング及び長さを指示するデータを生成している。パルス発生器モジュールは、スキャン中に発生させる傾斜パルスのタイミング及び形状を指示するために、１組の傾斜増幅器１６と接続させている。
【００１７】
パルス発生器モジュールが発生させる傾斜波形は、Ｇｘ、Ｇｙ及びＧｚ増幅器（図示せず）から構成される傾斜増幅器システム１６に加えられる。各傾斜増幅器は、全体を１８で表したアセンブリ内の対応する傾斜コイルを励起させ、収集する信号の位置エンコードのために使用される磁場傾斜を発生させている。この傾斜コイル・アセンブリ１８は、偏向用マグネット２２及び全身用受信コイル２６を含むマグネット・アセンブリ２０の一部を形成している。図示した実施形態では、受信コイルは無線周波数コイルである。ボリューム２８は、マグネット・アセンブリ２０の内部の被検体３０を受け入れるためのエリアとして表しており、患者ボアを含んでいる。本明細書で使用する場合、ＭＲＩスキャナの使用可能なボリュームとは一般に、ボリューム２８の内部のうちその主磁場、傾斜磁場及びＲＦ磁場の均一性が撮像に受け入れ可能な既知のレンジ域内にあるような患者ボア内部の連続したエリアであるボリュームであると規定している。
【００１８】
図示した実施形態では、システム制御部は一般に、受信コイル２６に提供されるパルスを発生させるように適応させた伝送モジュールを含んでいる。受信コイル２６は複数の電磁気信号を検知するように構成させている。この電磁気信号は増幅器３２によって増幅を受ける。この増幅信号は変調器３４によって変調を受けると共に、光学コンジット３６を用いてプロセッサに提供される。
【００１９】
このＭＲ信号はシステム制御部内のメモリ・モジュールに転送される。スキャンが完了するとデータの全体アレイがメモリ・モジュール内に収集される。プロセッサ（図示せず）はデータをフーリエ変換して画像データのアレイを作成するように動作する。これらの画像データはプロセッサ１２に送られてここに保存される。オペレータ・コンソール１０から受け取ったコマンドに応答して、これらの画像データはさらに、プロセッサ１２内部の画像プロセッサによって処理されてオペレータ・コンソール１０に送られ、引き続いて表示されることがある。図１に示すように、傾斜増幅器１６、マグネット・アセンブリ２０、及び増幅器３２はシールド室３８の内部に配置されている。システム制御部、プロセッサ及びオペレータ・コンソールはシールド室の外部に配置されている。ＭＲ信号は光学コンジット３６を用いてシステム制御部まで送られる。本明細書で使用する場合「光学コンジット（ｏｐｔｉｃａｌ  ｃｏｎｄｕｉｔ）」とは、例えば光ファイバや導波路などの１つまたは複数の光学媒体を意味している。電子デバイス４２は、増幅器３２や変調器３４などのデバイスを含む。
【００２０】
図１はさらに、シールド室３８の外部に配置されると共に電気的パワーを発生させるために使用される電源４０を表している。シールド室の内部に配置された電子デバイス４２には伝送素子４４を介して電気的パワーや光学的パワーが送られる。伝送素子の例には、光ファイバ、同軸ケーブル、及び抵抗性の高い（high resistive）ワイヤ（ただし、これらに限らない）が含まれる。
【００２１】
上で記載したように、シールド室の内部で検出された電磁気信号は、光学コンジット３６を用いてシールド室の外部にあるプロセッサに送られる。図２を参照しながら、光学コンジットを用いて信号を伝送する方式についてさらに詳細に説明する。
【００２２】
図２は、シールド室の内部にあるデバイスからシールド室の外部にあるデバイスまで光学コンジットが結合されているような例示的一実施形態を表したブロック図である。各構成要素について以下で詳細に記載する。
【００２３】
図１を参照しながら記載したように、受信コイル２６は電磁気信号を検知するように構成されている。この電磁気信号は、対象３０の画像を作成するために使用できる空間情報や周波数情報を伝達する。図示した実施形態では、その受信コイルは無線周波数（ＲＦ）コイルである。増幅器３２は受信コイルから受け取った電磁気信号を増幅している。一実施形態では、その増幅器は低ノイズ低インピーダンス増幅器である。
【００２４】
共鳴整合／バイアス回路４６は、低ノイズ増幅器のインピーダンスを変調器３４のインピーダンスと整合させるように適応させている。この整合回路は、低ノイズ増幅器からの信号の電圧を、この電圧が変調器３４に加えられる前に上昇させている。光学的な変調の大きさは電圧の関数であり、加えられた電気信号のパワーの関数ではないため、受動型の整合回路を使用すると、電圧利得とノイズ性能の少なくとも一方を得るのに追加的な電気的パワーを用いずに信号利得が提供される。
【００２５】
変調器３４は、共鳴整合回路４６からアナログ信号を受け取ると共に、このアナログ信号によって光信号を変調し対応する変調済み信号を作成するように適応させている。一実施形態では、その光信号はレーザー源６６によって変調器に提供される。レーザー源からの光信号を変調器に伝送するためには光学コンジット３６を使用することができる。この変調済み信号は光学コンジット３６を用いてシールド室の外部にあるコンソール１０に送られる。図示した実施形態では、増幅器、共鳴整合回路及び変調器を一括して電子デバイス４２と呼んでいる。
【００２６】
光学コンジット３６は第１の端部５０と第２の端部５２を備えている。第１の端部はシールド室３８の内部に配置された変調器３４に結合されており、また第２の端部５２は信号検出器５４に結合されている。一実施形態では、その光学コンジットは光ファイバからなる。上で述べたように、光学コンジット３６はレーザー源６６が発生させた光信号を変調器３４に伝送するために使用されることもあることに留意されたい。
【００２７】
信号検出器５４は、変調済み信号を変換しアナログ電気信号を作成するように構成されている。このアナログ電気信号は整合回路５６に提供される。無線周波数回路（ＲＦ）６０はアナログ電気信号からノイズ成分を除去し、信号を増幅し、かつこの信号をアナログ／ディジタル変換器６４に提供する。アナログ／ディジタル変換器（ＡＤＣ）６４はアナログ信号を対応するディジタル信号に変換している。このディジタル信号は信号プロセッサ１２に提供される。
【００２８】
プロセッサ１２は、受信コイル２６による電磁気信号に対応した画像を作成するためにこのディジタル信号に対して様々な操作を実行する。このプロセッサはさらに、変調器３４によって導入される可能性がある非直線性を抑制するために線形化操作を実行する。線形化のための一方法は、ルックアップ・テーブルを利用し、ＡＤＣ６４から受け取ったディジタル信号を画像処理前に線形化信号にマッピングさせることである。このマッピングはプロセッサ１２内で実施することができる。
【００２９】
図３は、本発明の別の態様に従ったシールド室の外部からのパワーの伝送を表したブロック図である。図１及び図２を参照しながら記載したように、電子デバイス４２は増幅器３２や変調器３４などのデバイスである。これらの電子デバイスは受信コイルの位置に電気的パワーを要求する。この電気的パワーを提供するためには電源７０が使用されることがある。図示した実施形態では、その電源はシールド室の外部に配置されている。電源はシールド室の内部に配置されることもあることに留意されたい。電気／光学変換器７２は電気的パワーを光学的パワーに変換している。
【００３０】
図示した実施形態では、この光学的パワーは光学コンジット７８を用いてシールド室の外部からシールド室の内部にある電子デバイスまで送られている。光学コンジット７８は光学的パワーをシールド室３８の内部に配置された光起電力デバイス７４に送っている。この光起電力デバイスは、光学的パワーを対応する電気的パワーに変換している。この電気的パワーは受信コイル２６に結合させた電子デバイス４２に提供される。
【００３１】
光学コンジットを使用しているため、ＭＲ受信コイルのアレイで通常必要となるような嵩張る同軸ケーブル接続が不要となる。さらに、この光学コンジットは電磁気的な干渉やクロストークを受けることがなく、したがって、信号が高い忠実度で伝送される。さらに、電気的接続を全く使用していないため、こうしたシステムによれば患者の安全性が向上する。
【００３２】
本発明のある種の特徴についてのみ本明細書において図示し説明してきたが、当業者によって多くの修正や変更がなされるであろう。したがって、添付の特許請求の範囲は、本発明の真の精神の範囲に属するこうした修正や変更のすべてを包含させるように意図したものであることを理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００３３】
【図１】本発明の一態様によって実現させた磁気共鳴イメージング・システムの一実施形態のブロック図である。
【図２】シールド室の内部からシールド室の外部まで信号を伝送するために光学コンジットを使用する方式を表したブロック図である。
【図３】シールド室の外部からシールド室の内部までパワー信号を伝送するために光学コンジットを使用する方式を表したブロック図である。
【符号の説明】
【００３４】
１０  オペレータ・コンソール
１２  プロセッサ
１４  オペレータ・インタフェース
１６  傾斜増幅器
１８  傾斜コイル・アセンブリ
２０  マグネット・アセンブリ
２２  偏向用マグネット
２６  受信コイル
２６  全身用受信コイル
２８  ボリューム
３０  被検体
３２  増幅器
３４  変調器
３６  光学コンジット
３８  シールド室
４０  電源
４２  電子デバイス
４４  伝送素子
４６  共鳴整合回路
５０  光学コンジットの端部
５２  光学コンジットの端部
５４  信号検出器
５６  整合回路
６０  無線周波数（ＲＦ）回路
６４  アナログ／ディジタル変換器（ＡＤＣ）
６６  レーザー源
７０  電源
７２  電気／光学変換器
７４  光起電力デバイス
７８  光学コンジット
【図１】
2006095298.tif 000003
【図２】
2006095298.tif 000004
【図３】
2006095298.tif 000005